(57)【要約】【課題】  コストダウンを図るとともにファイバロスを低減することができる光ファイバのフェルール取付構造および取付方法を得る。【解決手段】  抗張力繊維１３と光ファイバ心線１４との間に、例えばゴム、ナイロン、プラスチック等から成る弾性筒状体２０を挿入し、この弾性筒状体２０に対応する位置で金属製フェルール３０を、正多角形あるいは真円等の圧着ペンチでかしめる。【選択図】    図１
2006146084.tif 000002
【特許請求の範囲】
【請求項１】
フェルール内の光ファイバコードの端末が、外被の内側の抗張力繊維、光ファイバ心線、光ファイバ素線の順に露出し、前記抗張力繊維と前記光ファイバ心線との間に弾性筒状体を有し、
前記フェルールがかしめられ前記弾性筒状体が変形したことを特徴とする光ファイバのフェルール取付構造。
【請求項２】
光ファイバコードを端末に向かって外被の内側の抗張力繊維、光ファイバ心線、光ファイバ素線の順に露出させる工程と、前記露出した抗張力繊維を前記外被の外側に折り返す工程と、前記抗張力繊維と前記光ファイバ心線との間に弾性筒状体を挿入する工程と、前記弾性筒状体が挿入された前記光ファイバコードをフェルールに挿入する工程と、前記挿入された弾性筒状体に対応する位置において前記フェルールをかしめる工程と、を有することを特徴とする光ファイバのフェルール取付方法。
【発明の詳細な説明】
【技術分野】
【０００１】
本発明は、例えばコネクタを取付ける際に用いられるフェルールを光ファイバコードの端部に取付けるための光ファイバのフェルール取付構造および取付方法に関するものである。
【背景技術】
【０００２】
従来より、フェルールと光ファイバコードとを固定する光ファイバのフェルール取付構造としては、接着剤により固定するもの（例えば特許文献１参照）や、圧着により固定するもの（例えば特許文献２参照）が知られている。
特許文献１に開示された光ファイバのフェルール取付構造では、光ファイバコードの端部に硬化型接着剤を用いてフェルールを接合する前に、光ファイバコードの端末部に弾性接着剤を塗布しておき、その後フェルールを取付けるための硬化型接着剤を塗布することで先の弾性接着剤を硬化型接着剤のバリア層として作用させ、硬化型接着剤が抗張力繊維内を浸透するのを防止して外部にしみ出るのを防止している。なお、上記した弾性接着剤は、光ファイバコードの端部を所定形状に成形してフェルール内への挿通性を確保する役割も有している。
【０００３】
しかしながら、この特許文献１に記載された光ファイバのフェルール取付構造では、異なる特性の２種類の接着剤を使用しているために、管理コストが嵩むという不都合がある。また、先に塗布した弾性接着剤が硬化しないと、次工程でのフェルールと光ファイバコードとの接続を行う硬化型接着剤が適用できない。そのため、接続作業時間が長引き作業効率が低下するという不都合も生じる。さらに、フェルールと光ファイバコードとは接着剤のみでの固着であったため、保持力不足を生じる虞がある。
【０００４】
一方、特許文献２に開示された光ファイバのフェルール取付構造では、図３に示すように、接着剤を用いずにフェルールと光ファイバコードとを固定している。
すなわち、図３に示すように、このフェルール取付構造１００では、中心部に光ファイバ素線１０１が挿通する中空部を有し、外周部に複数に分割されて周方向に配置された拡張−挟持部１０２と、各拡張−挟持部１０２を連結する連結部１０３を設けた管状のチャック１０４と、チャック１０４の拡張−挟持部１０２に嵌合することにより、径方向外側に弾性的に拡張する弾性管状体１０５を備えている。
そして、チャック１０４の中空部に光ファイバ素線１０１を通し、チャック１０４の拡張−挟持部１０２に弾性管状体１０５を嵌合して弾性管状体１０５を径方向外側に拡張することによりその復元力で拡張−挟持部１０２を径方向内側に押圧して光ファイバ素線１０１を弾性的に挟持している。
【特許文献１】特開２００２−４０２８９号公報
【特許文献２】特開平１０−３１１２９号公報
【発明の開示】
【発明が解決しようとする課題】
【０００５】
しかしながら、前述した特許文献２に記載の取付構造においては、フェルールの構造が複雑になり、コストアップを招くという不都合がある。また、光ファイバを直接チャック１０４で圧着するため、接着剤を用いて接着する場合に比してファイバロスが大きくなるという不都合があった。
【０００６】
本発明は、前述した問題点に鑑みてなされたものであり、その目的は、コストダウンを図るとともにファイバロスを低減することができる光ファイバのフェルール取付構造および取付方法を提供することにある。
【課題を解決するための手段】
【０００７】
前述した目的を達成するために、本発明にかかる光ファイバのフェルール取付構造は、フェルール内の光ファイバコードの端末が、外被の内側の抗張力繊維、光ファイバ心線、光ファイバ素線の順に露出し、前記抗張力繊維と前記光ファイバ心線との間に弾性筒状体を有し、前記フェルールがかしめられ前記弾性筒状体が変形したことを特徴としている。
【０００８】
このように構成された光ファイバのフェルール取付構造においては、抗張力繊維と光ファイバ心線との間に、例えばゴム、ナイロン、プラスチック等から成る弾性筒状体を挿入し、この弾性筒状体に対応する位置でフェルールを、正多角形あるいは真円等の圧着ペンチでかしめる。すなわち、抗張力繊維および外被は弾性筒状体とかしめられたフェルールとの間で挟持され、光ファイバ心線は弾性筒状体の変形により挟持されるので、一括して挟持することができる。これにより、接着剤を用いることなく、弾性筒状体を挿入するだけで光ファイバコードをフェルールに取付けることができるので、コストダウンを図るとともに、取付作業時間の短縮を図ることができる。また、弾性筒状体を介して光ファイバ心線をかめしることになるので、ファイバロスを改善することができる。
【０００９】
また、本発明にかかる光ファイバのフェルール取付方法は、光ファイバコードを端末に向かって外被の内側の抗張力繊維、光ファイバ心線、光ファイバ素線の順に露出させる工程と、前記露出した抗張力繊維を前記外被の外側に折り返す工程と、前記抗張力繊維と前記光ファイバ心線との間に弾性筒状体を挿入する工程と、前記弾性筒状体が挿入された前記光ファイバコードをフェルールに挿入する工程と、前記挿入された弾性筒状体に対応する位置において前記フェルールをかしめる工程と、を有することを特徴としている。
【００１０】
このように構成された光ファイバのフェルール取付方法においては、光ファイバコードの端末で、外被の内側の抗張力繊維、光ファイバ心線、光ファイバ素線の順に露出させ、抗張力繊維を前記外被の外側に折り返して、抗張力繊維と光ファイバ心線との間に、例えばゴム、ナイロン、プラスチック等から成る弾性筒状体を挿入する。そして、弾性筒状体が挿入された光ファイバコードをフェルールに挿入し、弾性筒状体に対応する位置でフェルールを、正多角形あるいは真円等の圧着ペンチでかしめる。すなわち、抗張力繊維および外被は弾性筒状体とかしめられたフェルールとの間で挟持され、光ファイバ心線は弾性筒状体の変形により挟持されるので、一括して挟持することができる。これにより、接着剤を用いることなく、弾性筒状体を挿入するだけで光ファイバコードをフェルールに取付けることができるので、コストダウンを図るとともに、取付作業時間の短縮を図ることができる。また、弾性筒状体を介して光ファイバ心線をかしめることになるので、ファイバロスを改善することができる。
【発明の効果】
【００１１】
本発明によれば、従来のような接着剤を用いることによるコストアップや作業時間の長時間化、あるいは、直接かしめて光ファイバ心線に過大なかしめ力を作用させることによるファイバロスの悪化という問題を解消でき、これによりコストダウンを図るとともに取付作業時間の短縮を図ることができ、さらに、ファイバロスを改善することができるという効果が得られる。
【発明を実施するための最良の形態】
【００１２】
以下、本発明に係る好適な実施の形態を図面に基づいて詳細に説明する。
図１は本発明の光ファイバのフェルール取付構造に係る一実施の形態を示す断面図であり、（Ａ）は金属製フェルールのかしめ前の断面図、（Ｂ）は金属製フェルールのかしめ後の断面図である。
なお、フェルールは金属製である場合を例に説明するが、本発明はこれに限定するものではなく、かしめの効く材質であれば何でも良く、合成樹脂製でも構わない。
【００１３】
図１（Ａ）および（Ｂ）に示すように、本発明の一実施の形態である光ファイバのフェルール取付構造１０は、光ファイバコード１１を端末に向かって外被１２の内側の抗張力繊維１３、光ファイバ心線１４、光ファイバ素線１５の順に露出させるとともに、抗張力繊維１３と光ファイバ心線１４との間に弾性筒状体２０を挿入して端末処理してある。そして、端末処理した光ファイバコード１１を金属製フェルール３０に挿入して挿入された弾性筒状体２０に対応する位置において金属製フェルール３０をかしめることにより、光ファイバコード１１および光ファイバ心線１４を金属製フェルール３０に一括して取付けてある。
【００１４】
すなわち、抗張力繊維１３と光ファイバ心線１４との間に、例えばゴム、ナイロン、プラスチック等から成る弾性筒状体２０を挿入し、この弾性筒状体２０が挿入された光ファイバコード１１をフェルール３０に挿入して、光ファイバ素線１５をフェルール３０先端の穴３０ａに挿通して位置決めし、先端を外に出す。このとき、光ファイバ心線１４部分をフェルール３０の先端部の穴３０ｂ近くまで伸ばしておくと、光ファイバ素線１５がぶれないように抑えることができる。従って、光ファイバ心線１４部分は、フェルール３０の内部空間３０ｃに収容され、弾性筒状体２０が挿入された部分の光ファイバコード１１は、フェルール３０の基端側(図１において右側)の内部空間３０ｄに収容されることになる。
なお、このとき、弾性筒状体２０の端部がフェルール３０の端部から少し突出るようにするのが望ましい。
【００１５】
フェルール３０の基端側端部では、弾性筒状体２０に対応する位置(かしめ部３１)でフェルール３０をかしめる。このため、金属製フェルール３０としては、容易にかしめ変形可能なものを使用するのが望ましい。また、かしめ具３２としては、かしめ部３１を正多角形、もしくは真円にかしめできる圧着ペンチ等を用いるのが望ましい。
【００１６】
以上、前述した光ファイバのフェルール取付構造１０によれば、抗張力繊維１３および外被１２を弾性筒状体２０とかしめられた金属製フェルール３０との間で挟持し、光ファイバ心線１４を弾性筒状体２０の変形により挟持することになるので、光ファイバコード１１および光ファイバ心線１４を一括して挟持することができる。
また、従来のように接着剤を用いることなく、弾性筒状体２０を挿入するだけで、光ファイバコード１１を金属製フェルール３０に取付けることができるので、コストダウンを図るとともに、取付作業時間の短縮を図ることができる。さらに、弾性筒状体２０を介して光ファイバ心線１４をかしめることになるので、ファイバロスを改善することができる。
【００１７】
なお、かしめの際に、過剰なかしめ力により弾性筒状体２０が変形し過ぎて伝送損失を増加させたり、光ファイバ心線１４を傷つけたりすることがないように、弾性筒状体２０の剛性およびかしめ力に注意を払うようにするのが望ましい。
【００１８】
次に、本発明の一実施の形態である光ファイバのフェルール取付方法について説明する。図２（Ａ）〜（Ｆ）には、加工工程が示されている。
まず、図２（Ａ）に示す光ファイバコード１１を、図２（Ｂ）に示すように、端末に向かって外被１２の内側の抗張力繊維１３、光ファイバ心線１４、光ファイバ素線１５の順に露出させ、露出した抗張力繊維１３を外被１２の外側に折り返し、さらに図２（Ｃ）に示すように、抗張力繊維１３と光ファイバ心線１４との間に弾性筒状体２０を挿入して端末処理を行う。
【００１９】
すなわち、光ファイバコード１１の端部から外被１２を所定の長さ切除して抗張力繊維１３を露出させ、さらに所定の長さだけ抗張力繊維１３を除去して露出した光ファイバ心線１４を端部から所定の長さ切除して光ファイバ素線１５を露出させる。外被１２より露出した抗張力繊維１３は外被１２の外側に折り返す。そして、抗張力繊維１３と光ファイバ心線１４との間に弾性筒状体２０を押し込む。
【００２０】
次いで、図２（Ｄ）に示すように、弾性筒状体２０を挿入した光ファイバコード１１の端部を、金属製フェルール３０に挿入し、光ファイバ素線１５をフェルール３０先端の穴３０ａに挿通して位置決めし、先端を穴３０ａから外に出す。これにより、光ファイバ心線１４は、フェルール３０の内部空間３０ｂおよび内部空間３０ｃに収容され、弾性筒状体２０が挿入されている部分の光ファイバコード１１が内部空間３０ｄに収容されることになる。
【００２１】
その後、図２（Ｅ）に示すように、かしめ具３２を用いて金属製フェルール３０のかしめ部３１を外方よりかしめて、図２（Ｆ）に示すように、外被１２、抗張力繊維１３および弾性筒状体２０を変形させる。このとき、過剰なかしめ力により弾性筒状体２０が変形し過ぎて光ファイバ心線１４を圧迫して伝送損失を増加させたり、光ファイバ心線１４を傷つけたりすることがないように、弾性筒状体２０の剛性およびかしめ力に注意を払うようにする。これにより、光ファイバコード１１の先端に金属製フェルール３０を固定する。
【００２２】
以上、前述した光ファイバのフェルール取付方法によれば、抗張力繊維１３および外被１２を弾性筒状体２０とかしめられた金属製フェルール３０との間で挟持し、光ファイバ心線１４を弾性筒状体２０の変形により挟持することになるので、光ファイバコード１１および光ファイバ心線１４を一括して挟持することができる。また、従来のように接着剤を用いることなく、弾性筒状体２０を挿入するだけで、光ファイバコード１１を金属製フェルール３０に取付けることができるので、コストダウンを図るとともに、取付作業時間の短縮を図ることができる。さらに、弾性筒状体２０を介して光ファイバ心線１４をかしめることになるので、ファイバロスを改善することができる。
【００２３】
なお、本発明の光ファイバのフェルール取付構造および取付方法は、上記した実施の形態に限定されるものでなく、適宜な変形、改良等が可能である。
例えば、上記した実施の形態においては、光ファイバコード１１の端部に光ファイバ素線１５、光ファイバ心線１４、抗張力繊維１３を露出させて抗張力繊維１３を外被１２の外側に折り返した後に弾性筒状体２０を抗張力繊維１３と光ファイバ心線１４との間に挿入したが、最初から光ファイバコード１１における抗張力繊維１３と光ファイバ心線１４との間に弾性筒状体２０を内蔵したものを使用することも可能である。
【産業上の利用可能性】
【００２４】
本発明に係る光ファイバのフェルール取付構造および取付方法は、フェルールを使用する全ての光ファイバコードに適用することができる。
【図面の簡単な説明】
【００２５】
【図１】（Ａ）本発明に係る光ファイバのフェルール取付構造の一実施の形態を示すかしめ前の断面図である。  （Ｂ）本発明に係る光ファイバのフェルール取付構造の一実施の形態を示すかしめ後の断面図である。
【図２】（Ａ）〜（Ｆ）は、本発明に係る光ファイバのフェルール取付方法における各工程を示す断面図である。
【図３】(Ａ)は従来の光ファイバのフェルール取付構造を示す断面図である。  (Ｂ)は(Ａ)におけるＢ−Ｂ位置の断面図である。
【符号の説明】
【００２６】
１０  フェルール取付構造
１１  光ファイバコード
１２  外被
１３  抗張力繊維
１４  光ファイバ心線
１５  光ファイバ素線
２０  弾性筒状体
３０  金属製フェルール
【図１】
2006146084.tif 000003
【図２】
2006146084.tif 000004
【図３】
2006146084.tif 000005